(57)【要約】【課題】穀粒袋を受けて秤量する穀粒袋秤量台は、籾摺機や、選別機から取出される穀粒を受けて収容しながら秤量するもので、単独形態として移動取扱することが多く、持ち運びに便利であるように小形軽量であることを要する。秤量台上に袋低を支持する支持ローラや、この袋口部を保持する袋ホルダ等を設ける形態では、この重量が増やして取扱し難いものとなり易い。【解決手段】適宜高さの外周縁１を形成して秤量器２上面に被せる板金製の支持板３の上面に、袋４底支持ローラ５のローラ軸６端部を支持する支持穴７を有して門形状断面に板金成形した軸支持板８を取付けると共に、この袋４口部を保持する袋ホルダ９を着脱可能に取付けたことを特徴とする穀粒袋秤量台の構成とする。【選択図】図１
2007285940.tif 000002
【特許請求の範囲】
【請求項１】
適宜高さの外周縁（１）を形成して秤量器（２）上面に被せる板金製の支持板（３）の上面に、袋（４）底支持ローラ（５）のローラ軸（６）端部を支持する支持穴（７）を有して門形状断面に板金成形した軸支持板（８）を取付けると共に、この袋（４）口部を保持する袋ホルダ（９）を着脱可能に取付けたことを特徴とする穀粒袋秤量台。
【発明の詳細な説明】
【技術分野】
【０００１】
この発明は、選別機等から取出される穀粒を収容しながら秤量する穀粒秤量台に関するもので、構成の簡単、軽量化を図り、取扱性を高めるものである。
【背景技術】
【０００２】
秤量台の上側に袋底部を受ける支持ローラを設けると共に、この袋口部を保持する袋ホルダを設ける技術（例えば、特許文献１参照）が知られている。
【特許文献１】特開２００１−１５１４８０号公報（第２頁、図２）
【発明の開示】
【発明が解決しようとする課題】
【０００３】
穀粒袋を受けて秤量する穀粒袋秤量台は、籾摺機や、選別機から取出される穀粒を受けて収容しながら秤量するもので、単独形態として移動取扱することが多く、持ち運びに便利であるように小形軽量であることを要する。秤量台上に袋低を支持する支持ローラや、この袋口部を保持する袋ホルダ等を設ける形態では、この重量が増やして取扱し難いものとなり易い。
【課題を解決するための手段】
【０００４】
請求項１に記載の発明は、適宜高さの外周縁１を形成して秤量器２上面に被せる板金製の支持板３の上面に、袋４底支持ローラ５のローラ軸６端部を支持する支持穴７を有して門形状断面に板金成形した軸支持板８を取付けると共に、この袋４口部を保持する袋ホルダ９を着脱可能に取付けたことを特徴とする穀粒袋秤量台とする。袋４底部を支持ローラ５上に載せて、袋口部を袋ホルダ９に保持させた状態で、この袋４に選別穀粒を供給して秤量する。穀粒袋４が一杯になって袋詰が終ると、この袋４底部を支持ローラ５で支持した状態で移動して秤量器２上から取出すことができ、空袋と取替えることができる。支持板３は、板金製であるから軽量であり、外周部に外周縁１を形成するため、剛性を有して支持ローラ５、及び袋ホルダ９の取付支持を安定させる。又、この支持ローラ５は、ローラ軸６の両端部を門形状断面形態の軸支持板８を介して支持板３上に支持するため、支持を安定し、支持ローラ５を円滑に回動させる。このような袋ホルダ９は着脱自在であるから、袋４の仕様や、規格等に応じた形態の袋ホルダを着替えて使用することができ、又、この袋ホルダ９が不要のときは支持板３から取外すことができる。
【発明の効果】
【０００５】
請求項１に記載の発明は、支持板３、及び軸支持板８を板金製で形成するために、構成を簡単、軽量化して、安価に生産することができ、安定した袋の支持、及び袋口保持を行わせることができる。又、袋ホルダ９は、袋４の規格等に応じて着替えて使用することができ、この着脱を容易にすることができる。
【発明を実施するための最良の形態】
【０００６】
図例に基づいて、秤量台１０は、籾摺玄米を選別する選別機１１等に組合せて使用することができる。この選別機１１は、選別網目を形成した円筒状の選別筒を縦方向に設けて、この選別筒の内側に沿って揚送螺旋を回転させることにより、玄米を下部から上方へ揚送しながら、この選別筒から外周へ小米等の屑粒を漏出させて、整粒玄米と屑粒小米とに選別する縦型選別機の形態としている。このような選別筒や揚送螺旋等を内装する選別ケース１２の背面に、選別しようとする玄米を供給する供給ホッパ１３を有し、上部正面に選別された玄米を取出す玄米取出口１４を、及びシャッタ１７を有した取出ホッパ１５を形成する。又、この選別ケース１２の横側面に、選別して取出される小米を受ける小米取出ホッパ１６を設けて、袋詰可能に設けている。秤量台１０は、この選別機１１の玄米取出口１４の下部に置いて袋詰作業する。
ここにおいて、この発明に係る秤量台１０は、適宜高さの外周縁１を形成して秤量器２上面に被せる板金製の支持板３の上面に、袋４底支持ローラ５のローラ軸６端部を支持する支持穴７を有して門形状断面に板金成形した軸支持板８を取付けると共に、この袋４口部を保持する袋ホルダ９を着脱可能に取付けたことを特徴とする穀粒袋秤量台である。
前記支持板３は、秤量器２の秤量上面よりも広く形成し、左右横側部を張出して袋ホルダ９を取付可能の取付片１８を形成する。この支持板３の外周縁１は適宜高さに形成されて、この外周縁１を下向きにして秤量器２の上側に被せるようにして載せる。この支持板３は、単に秤量器２上面に載置する着脱自在の形態とすることも可能であるが、ボルト締め等で取付固定の構成とすることも可能である。この支持板３の上面中央部に多数本の支持ローラ５を、軸支持板８を介して取付支持させると共に、袋ホルダ９を取付けることができる。軸支持板８は、頂辺部２０と、この左右両側の側辺部２１，２２とにより断面門形状に板金成形されて、この外側端に形成の取付片４０部を、支持板３上面に重合させて、ボルト、ナット１９締めによって固定する。このような軸支持板８を前後平行状にして左右両側部に取付け、両支持板８間にわたってローラ軸６の両端部を支持する。この左右各支持板８は、門形状の左右両側辺部２１，２２の下端縁を支持板３上面に支持させる。この自由端側の側辺部２１は、内側の支持ローラ５側に対向して設けられ、この側辺部２１に沿って各ローラ軸６を挿通して支持する支持穴７を形成する。各支持ローラ５はローラ軸６の周りに回動自在に軸受けされて、このローラ軸６の左右両端部を支持ローラ５の外側端面より外方へ突出させている。この支持ローラ５の両端部には適宜回転径を大きくしたローラ鍔２３を形成して、各指示ローラ５にわたって平ベルト２４を張設回転しても外れないように構成している。又、このローラ鍔２３の外側にボス部２５を膨出させて、このボス部２５を前記側辺部２１に接近させて軸支する。このローラ軸６の外側端はこの側辺部２１の支持穴７を挿通して、先端面を外側の側辺部２２に接近している。支持ローラ５が回転するとき、支持ローラ５、又はローラ軸が左右に移動しても、これら膨出ボス部２５や、ローラ軸６端面が、これら側辺部２１，２２等に当接して受け止められて、支持ローラ５の回転位置を安定させる。
【０００７】
前記袋ホルダ９は、左右一対の支持杆２６の上部に、袋４口部を挟持する挟持具２７から構成される。この挟持具２７は、袋４口部内側に差込まれる固定の固定アーム２８と、レバー３０操作で内外方へ回動される可動アーム２９を有し、これら固定アーム２８と可動アーム２９との間に袋４口両端部を挟持することができる。この挟持具２７は、支持杆２６の上端部に沿ってスプリング３１の支持力に抗して下降することができ、左右の挟持具２７の保持高さを袋４詰の重量に応じて下降移動することができる。これら各支持杆２６の下端部にはナット３４を固着し、下側からボルト３５を螺合することができる。前記支持板３の左右外側部にボルト穴３６を形成し、このボルト穴３６上に支持杆２６の下端面を重ねて、この支持板３の下側からこのボルト穴３６、及び支持杆２６のナット３４にボルト３５を挿通して締付固定することができる。
このように構成される袋ホルダ９を、支持板３の左右両側部にボルト３５によって着脱することができる。又、中央部の支持ローラ５及び軸支持板８を、ボルト、ナット１９によって着脱することができる。又、支持板３は、これら支持ローラ５や、袋ホルダ９を取付けた状態で、秤量器２上面に着脱することができる。
【図面の簡単な説明】
【０００８】
【図１】秤量台の正面図。
【図２】その側面図。
【図３】その秤量台部の平面図と、一部分解正面図。
【図４】その支持ローラ部の正面図と、一部正断面図。
【図５】その支持板、軸支持板部の正断面図。
【図６】その平面図。
【符号の説明】
【０００９】
１    外周縁
２    秤量器
３    支持板
４    袋
５    支持ローラ
６    ローラ軸
７    支持穴
８    軸支持板
９    袋ホルダ
１０  秤量台
【図１】
2007285940.tif 000003
【図２】
2007285940.tif 000004
【図３】
2007285940.tif 000005
【図４】
2007285940.tif 000006
【図５】
2007285940.tif 000007
【図６】
2007285940.tif 000008